(57)【特許請求の範囲】
【請求項１】
各地域に設けられると共に、複数のグループに分けられた加入者端末からのアナログ信号をデジタル信号に変換し、グループ毎にデジタル信号を時分割多重して第１のビットレートの時分割多重データとし、該グループ毎の時分割多重データを更に時分割多重して第２のビットレートの時分割多重データにして送出する加入者側伝送装置と、各加入者側伝送装置から送出されてくる第２ビットレートの時分割多重データをそれぞれ前記グループ毎の第１ビットレートの時分割多重データに分離し、該第１ビットレートの時分割多重データをチャンネル部を介して交換機に入力する交換機側伝送装置と、各加入者側伝送装置と交換機側伝送装置間を接続するデジタル信号伝送路とを備えた通信システムにおいて、前記加入者側伝送装置は、
各グループのトラヒック状態を検出して送出する手段を備え、
前記交換機側伝送装置は、
全加入者側伝送装置の全グループ数より少ない数のチャンネル部、
各加入者側伝送装置から送出されてくる第２のビットレートの時分割多重データをそれぞれグループ毎の第１ビットレートの時分割多重データに分離する分離手段、
前記分離された第１ビットレートの時分割データが送出されるラインを所定のチャンネル部に接続する接続回路、
各加入者側伝送装置のトラヒック量の時間的な推移を求め、該時間的に推移するトラヒック量に基づいて各時点における加入者側伝送装置に割り当てるチャンネル部の数を決定する手段、
該決定された数に基づいて、前記接続回路を制御して第１ビットレートの時分割多重データの送出ラインとチャネル部間の接続制御を行う接続制御部、
備えたことを特徴とする通信システム。
【請求項２】
複数のグループに分けられた加入者端末からのアナログ信号をデジタル信号に変換し、グループ毎にデジタル信号を時分割多重して第１のビットレートの時分割多重データにし、該グループ毎の時分割多重データを更に時分割多重して第２のビットレートの時分割多重データにし、各地域に設けられた加入者側伝送装置より送出されてくる該第２のビットレートの時分割多重データをそれぞれグループ毎の第１ビットレート時分割多重データに分離し、該第１ビットレートの時分割多重データをチャンネル部を介して交換機に入力する交換機側伝送装置において、
全加入者側伝送装置の全グループ数より少ない数のチャンネル部、
各加入者側伝送装置から送出されてくる第２のビットレートの時分割多重データをそれぞれ前記グループ毎の第１ビットレートの時分割多重データに分離する分離手段、
前記分離された第１ビットレートの時分割データが送出されるラインを所定のチャンネル部に接続する接続回路、
各加入者側伝送装置のトラヒック量の時間的な推移を求め、該時間的に推移するトラヒック量に基づいて各時点における加入者側伝送装置に割り当てるチャンネル部の数を決定する手段、
該決定された数に基づいて、前記接続回路を制御して第１ビットレートの時分割多重データの送出ラインとチャネル部間の接続制御を行う接続制御部、
を備えたことを特徴とする交換機側伝送装置。
【発明の詳細な説明】
【０００１】
【発明の属する技術分野】
本発明は通信システムに係わり、特に、加入者側に設けられた複数の伝送装置と交換機側に設けられた伝送装置間を高速のデジタル伝送路で接続し、加入者端末を加入者側伝送装置に接続することにより該加入者端末を交換機に収容する通信システムに関する。
【０００２】
【従来の技術】
現在の加入者系光伝送システムでは、交換機側に複数のCOT伝送装置（COT:Central Office Terminalの略）を設けると共に加入者側に複数のRT伝送装置（RT:Remote Terminalの略)を設け、各COT伝送装置と対応するRT伝送装置間をそれぞれ１本の高速デジタル伝送路(例えば、高速光伝送路)で接続する構成になっている。RT伝送装置は、オフィスビル、町、村などの地域単位に設置される。
図１０は従来の加入者系光伝送システムの構成図である。図中、１は交換局であり、交換機２及びCOT伝送装置３Ａ〜３Ｎを有している。４Ａ〜４Ｎは地域毎に設けられた一般家庭用電話機あるいは公衆電話機、５Ａ〜５Ｎは地域毎に設けられたRT伝送装置、６Ａ〜６Ｎは各COT伝送装置と対応するRT伝送装置間をそれぞれ接続する光伝送路である。
【０００３】
RT伝送装置５Ａ〜５Ｎにおいて、７1〜７nはそれぞれ電話機に接続された加入者回路、８1〜８nは各加入者回路から入力するアナログ信号をＡＤ変換するとともに、光伝送路側から入力するデジタル信号をアナログ信号に変換するCODEC(coder/decoder)、９1〜９nはチャンネル部でユニポラー/バイポラー変換すると共に各種制御データの挿入、抽出を行うもの、１０はCODECよりチャンネル部を介して入力するデジタル信号を集線多重して光伝送路側に送出すると共に、光伝送路側から入力する多重データを分離して所定のチャンネル部に出力する多重分離部、１１は電気信号を光信号に電光変換して光伝送路６Ａ〜６Ｎに送出すると共に、光伝送路から入力した光信号を電気信号に光電変換して出力する光端局装置である。
【０００４】
COT伝送装置３Ａ〜３Ｎにおいて、１２1〜１２nはチャンネル部でユニポラー/バイポラー変換すると共に各種制御データの挿入、抽出を行うもの、１３は交換機２よりチャンネル部を介して入力するデジタル信号を多重して光伝送路側に送出すると共に、光伝送路側から入力する多重データを分離して交換機に送出する多重分離部、１４は多重分離部より入力した電気信号を光信号に電光変換して光伝送路６Ａ〜６Ｎに送出すると共に、光伝送路６Ａ〜６Ｎから入力した光信号を電気信号に光電変換して出力する光端局装置である。
【０００５】
図１１はRT伝送装置の詳細な構成図である。RT伝送装置５Ａが設けられた地域の電話機４Ａは例えばｍ個づつ、ｎ個のグループに分けられている。第１グループのｍ個の電話機４11〜４1mは第１グループの加入者回路７11〜７1mに接続され、加入者回路７11〜７1mは更にCODEC８11〜８1mに接続されている。CODEC８11〜８1mは電話機４11〜４1mから入力した音声信号はを64Kbpsのデジタル信号に変換し、チャンネル部９11〜９1mを介して多重分離部１０に入力する。多重分離部１０はｍ個のチャンネル部９11〜９1mを介して入力された最大32チャンネル分の64Kbpsデジタル信号を集線して時分割多重し（ｍ＞３２）、2Mbpsのデジタル信号として信号ラインＬ1〜Ｌnに出力する。多重分離部１０′は第１〜第ｎグループの各多重分離部１０から信号ラインＬ1〜Ｌnを介して入力する2Mbpsの時分割多重データを更に多重して例えば34Mbpsあるいは150Mbpsのデータ(34Mbpsデータとする)にして光伝送装置１１より光伝送路６Ａに送出する。
【０００６】
また交換機２より光伝送路６Ａ、光伝送装置１１を介して入力された34Mbpsの時分割多重データは多重分離部１０′で2Mbpsの時分割多重データに分離されて第１〜第ｎグループの多重分離部１０にそれぞれ入力する。各グループの多重分離部１０は2Mbpsの時分割多重データを最大32チャンネル分の64Kbpsのデジタル信号に変換してチャネル部を介して所定のCODECに入力する。デジタル信号を入力された各CODECは該デジタル信号をアナログ信号に変換し、加入者回路を介して電話機に入力する。
【０００７】
図１２は交換局の構成図であり、COT伝送装置３Ａ〜３Ｎが各地域のRT伝送装置５Ａ〜５Ｎに対応して設けられ光伝送路６Ａ〜６Ｎを介して接続されている。また、各COT伝送装置３Ａ〜３Ｎはそれぞれｎ本の2Mbpsの信号ラインＬ1〜Ｌnを介して交換機２と接続している。RT伝送装置５Ａ〜５Ｎから送出された34Mbpsの時分割多重データは光伝送路６Ａ〜６Ｎを介してCOT伝送装置３Ａ〜３Ｎに入力する。COT伝送装置３Ａ〜３Ｎ内の各光伝送装置１４は光信号を電気信号に変換して多重分離部１３に入力し、多重分離部１３は34Mbpsの時分割多重データを2Mbpsのデジタル信号に分離し、チャンネル部１２1〜１２n、信号ラインＬ1〜Ｌnを介して交換機２に入力する。又、各COT伝送装置３Ａ〜３Ｎの多重分離部１３は交換機２より信号ラインＬ1〜Ｌn、チャンネル部１２1〜１２nを介して入力された2Mbpsのデジタル信号を多重して34Mbpsデータにして光伝送装置１４より光伝送路６Ａ〜６Ｎに送出する。
【０００８】
この加入者系光伝送システムによれば、(1) RT伝送装置５Ａ〜５Ｎが交換局内のCOT伝送装置３Ａ〜３Ｎに対応し、しかも、(2) RT伝送装置５Ａ内の信号ラインＬ1〜Ｌn（図１１）上の2Mbpsの時分割多重データが交換局１内の信号ラインＬ1〜Ｌn（図１２）上の2Mbpsの時分割多重データと一致する。同様に、他のRT伝送装置５Ｂ〜５Ｎ内の信号ラインＬ1〜Ｌn上の2Mbpsの時分割多重データが交換局内の信号ラインＬ1〜Ｌn上の2Mbpsの時分割多重データと一致する。
この結果、交換機側のCOT伝送装置３Ａ〜３Ｎと各地域のRT伝送装置５Ａ〜５Ｎ間を１本の光伝送路６Ａ〜６Ｎで接続するにも係らず、あたかも各RT伝送装置の各グループの2Mbpsの時分割多重データの信号ラインＬ1〜Ｌnを直接交換機２と接続したのと機能的に等価にできる。この結果、光ケーブル敷設費を安くできるメリットがある。
【０００９】
【発明が解決しようとする課題】
以上のように、従来の加入者系光伝送システムでは、COT伝送装置が各RT伝送装置に対応させて交換局内に設けられ、各COT伝送装置は光端局装置、多重化装置に加えて対応するRT伝送装置内のグループ数と等しい数(=ｎ個)のチャンネル部を必要とする。従来、COT伝送装置は最多トラヒック量を考慮したハードウェア構成になっている。というのは、従来は最多トラヒック量に基づいてグループを構成する加入者電話機の数を決めるものであり、トラヒック量が多いほどグループを構成する加入者電話機の数が少なくなり、このためグループ数ｎが増え、それに応じてCOT伝送装置を構成するチャンネル部数が増大する。
【００１０】
ところで、オフィス街、住宅街それぞれの地域における加入者電話機の使用時間帯は異なり、住宅街では夜間の使用が昼間に比べて多くなり、逆にオフィス街では昼間の使用が夜間に比べて多くなる。このため、オフィス街、住宅街それぞれにRT伝送装置を設けて同一交換局に接続するとトータルの使用量が時間帯によってそれほど変化しない。これにもかかわらず、従来は、それぞれの地域における最大トラヒックを見込んだハードウェア(チャンネル部数)を各COT伝送装置に設ける必要があり、交換局のハードウェアの増大、大型化、コスト高となる問題が生じている
以上から本発明の目的は、交換局内に設けるチャンネル部の数を減少して交換局の小型化、低コスト化が可能となるようにすることである。
本発明の別の目的は、RT伝送装置に接続する加入者端末で構成する各グループのトラヒック量に基づいて、交換局内に設けたチャンネル部を各RT伝送装置に対して共通に使用するようにしてチャンネル部数を減少することである。
本発明の別の目的は、トラヒック量の時間的推移を統計的に事前に測定しておき、該事前に測定されたトラヒック量に基づいて交換局内に設けたチャンネル部を各RT伝送装置に対して共通に使用するようにしてチャンネル部数を減少することである。
【００１１】
【課題を解決するための手段】
個々の加入者側伝送装置の最多トラヒックは同一のタイミングで発生せず、その発生タイミングは異なる。本発明はかかる点に着目し、各加入者側伝送装置のトラヒックをトータル的に考察し、トータルの最多トラヒックが発生しても輻輳しないように交換機側伝送装置のハードウェアを決定してハードウェア量（例えば、チャンネル部の数）を少なくする。
加入者側伝送装置は、加入者端末からのアナログ信号をデジタル信号に変換してグループ毎に多重し、各グループからの多重データを更に時分割多重して交換機側伝送装置に送出する。又、加入者側伝送装置は各加入者端末のトラヒック状態（例えば、オンフック／オフフック状態）を検出して交換機側伝送装置に送る。交換機側伝送装置は、(1) 各加入者側伝送装置より送られてくる高速時分割多重データをグループ毎の時分割多重データに分離すると共に、(2) トラヒック状態情報よりオフフック状態の加入者端末が存在するグループを識別し、(3) 該グループに応じた時分割多重データ送出ラインを未使用のチャンネル部に接続し、(4) 該チャンネル部を介して時分割多重データを交換機に入力する。これにより、交換局内に設けるチャンネル部の数を減少して交換局の小型化、低コスト化が可能になる。
【００１２】
又、交換機側伝送装置は、予め各加入者側伝送装置のトラヒック量の時間的な推移を統計的に求めておき、該時間的に推移するトラヒック量に基づいて各時点における加入者側伝送装置に割り当てるチャンネル部の数を決定し、該決定したチャンネル部数に基づいて各加入者側伝送装置から送られてくるグループ毎の時分割多重データの送出ラインとチャネル部間の接続制御を行う。このようにしても交換局内に設けるチャンネル部の数を減少して交換局の小型化、低コスト化が可能になる。
【００１３】
【発明の実施の形態】
（Ａ）本発明の加入者系光伝送システムの構成
図１は本発明の加入者系光伝送システムの構成図である。図中、２１は交換局であり、交換機２２及び１台のCOT伝送装置２３を有している。２４Ａ〜２４Ｎは地域毎に設けられた一般家庭用電話機あるいは公衆電話機、２５Ａ〜２５Ｎは地域毎に設けられた同一構成のRT伝送装置、２６Ａ〜２６Ｎは交換局内に設けたCOT伝送装置２３と各RT伝送装置２５Ａ〜２５Ｎ間をそれぞれ接続する光伝送路である。
【００１４】
加入者側伝送装置であるRT伝送装置２５Ａにおいて、３０1〜３０nは加入者回路群、４０1〜４０nは第１の多重分離部、４１は第２の多重分離部、４２は光電、電光変換する光伝送装置である。RT伝送装置２５Ａが設けられた地域の電話機２４Ａはたとえばｍ個づつ、ｎ個のグループに分けられている。第１グループのｍ個の電話機２４11〜２４1mは第１グループの加入者回路群３０1に接続され、・・・、第ｎグループのｍ個の電話機２４n1〜２４nmは第ｎグループの加入者回路群３０nに接続されている。加入者回路群３０1〜３０nは図示しないが電話機毎にｍチャンネル分の加入者回路、CODEC、チャンネル部を備え、チャンネル部が次段の第１多重分離部４０1〜４０nに接続されている。又、加入者回路群３０1〜３０nには、各電話機のオンフック／オフフック状態を記憶して交換局２１に送出するフック状態記憶送出部３４1〜３４nが設けられている。
【００１５】
第１多重分離部４０1〜４０nはｍチャンネルのうち通信中の最大３２チャンネル分の64Kbpsのデジタル信号を集線して時分割多重し（ｍ＞３２）、2Mbpsのデジタル信号として信号ラインＬ1〜Ｌnに出力する。第２多重分離部４１は各グループの第１多重分離部４０1〜４０nから信号ラインＬ1〜Ｌnを介して入力した  2Mbpsの時分割多重データを更に多重して例えば34Mbpsあるいは150Mbpsのデータ(34Mbpsデータとする)にして光伝送装置４２より光伝送路２６Ａに送出する。なお、光伝送装置４２はフック状態記憶送出部３４1〜３４nから入力した各電話機のオンフック／オフフック状態を示す情報をフレーム先頭のヘッダ部などの適所に挿入して送出する。
【００１６】
一方、交換局１２より光伝送路２６Ａ、光伝送装置４２を介して入力された34Mbpsの時分割多重データは第２多重分離部４１で2Mbpsの時分割多重データに分離されて各グループの第１多重分離部４０1〜４０nにそれぞれ入力する。各グループの第１多重分離部４０1〜４０nは2Mbpsの時分割多重データを最大32チャンネル分の64Kbpsのデジタル信号に分離して加入者回路群３０1〜３０nに入力する。この結果、各デジタル信号は所定のチャネル部を介してCODECに入力し、ここでアナログ信号に変換され、加入者回路を介して電話機に入力する。
一方、交換機側伝送装置であるCOT伝送装置２３において、５１1〜５１kはｋ個のチャンネル部であり、ユニポラー/バイポラー変換すると共に各種制御データの挿入、抽出を行うものである。なお、交換局２１に接続しているRT伝送装置２５Ａ〜２５Ｎの数をＮ、各RT伝送装置におけるグループ数をｎ、チャンネル部の数ｋとすれば、ｋ＜Ｎ・ｎが成立するようになっている。すなわち、チャンネル部の数ｋは全グループ数Ｎ・ｎより少ない。このチャンネル部の総数ｋは、全RT伝送装置に接続されている加入者電話機のトラヒック量をトータル的に考察し、最多トラヒックが発生しても輻輳しないように決定する。
【００１７】
５２A〜５２Nは光伝送路に２６Ａ〜２６Ｎに接続された光伝送装置であり光電、電光変換するもの、５３A〜５３Nは多重分離部であり、各RT伝送装置２５Ａ〜２５Ｎから送出されてくる34Mbpsの高速時分割多重データをそれぞれグループ毎の2Mbpsの時分割多重データに分離してラインＬ11〜Ｌ1n，・・・,ＬN1〜ＬNnに送出すると共に、交換機側から入力される2Mbpsの時分割多重データを34Mbpsの高速時分割多重データに多重する。多重分離部５３Aの出力ラインＬ11〜Ｌ1nに送出されるグループ毎の2Mbpsの時分割多重データは、RT伝送装置２５Ａにおける第１多重分離部４０1〜４０nから出力ラインＬ1〜Ｌnに送出されるグループ毎の2Mbpsの時分割多重データに一致する。したがって、例えば、第１グループのいずれの電話機も話中でなければ、出力ラインＬ11にはデジタル信号が出力されない。又、同様に、第ｎグループのいずれの電話機も話中でなければ、出力ラインＬ1nにはデジタル信号が出力されない。
【００１８】
５４は接続回路であり、N×n本のラインＬ11〜ＬNnのうち多重分離部５３A〜５３Nで分離された2Mbpsの時分割多重データが実際に送出されるラインをチャンネル部５１1〜５１ｋのうち未使用のチャンネル部に接続する。５５は接続制御部であり、RT伝送装置２５Ａ〜２５Ｎより送出されてくる電話機のフック状態情報に基づいて接続回路５４を制御し、オフフック状態の加入者端末が存在するグループに応じたラインＬ11〜Ｌ1n，・・・ＬN1〜ＬNnを未使用のチャンネル部５１1〜５１kに接続する。
【００１９】
各グループを構成する電話機のオンフック／オフフック状態を示すフック状態情報がRT伝送装置２５Ａ〜２５より送出されて接続制御部５５に入力する。接続制御部５５はグループ毎にオフフック状態の加入者端末が存在するかチェックし、N×n本のラインＬ11〜ＬNnのうちオフフック状態の加入者端末が存在するグループに応じたラインを未使用のチャンネル部に接続する（未使用チャンネル部は使用チャンネル部になる）。この結果、オフフック状態の加入者端末が存在するグループの2Mbps時分割多重データは接続回路５４→チャンネル部を介して交換機２２に入力する。接続制御部５５は所定のラインとチャンネル部を接続すれば、以後、該ラインに対応するグループの全電話機がオンフック状態になるまでその接続を維持し、全電話機がオンフック状態になったとき、接続を解除し、使用チャンネル部を未使用にする。
【００２０】
（Ｂ）RT伝送装置
図２はRT伝送装置の構成図で、図１と同一部分には同一符号を付している。図１と異なる点は加入者回路群３０1を詳細に示している点である。図中、３１11〜３１1mは電話機２４11〜２４1mに対応して設けられた加入者回路であり、電話機２４11〜２４1mに通話電流を供給する機能、電話機のオンフック/オフフック状態を検出する機能などを備えている。３１ａはリレーで構成されたオフフック検出部で、フックスイッチＦＳのオン／オフを検出するもの、３１ｂは通話路電流供給部である。３２11〜３２1ｍは電話機から入力する音声信号を64Kbpsのデジタル信号に変換し、光伝送路側から入力する64kbpsのデジタル信号をアナログ信号に変換するCODEC、３３11〜３３1mはチャンネル部でユニポラー/バイポラー変換すると共に各種制御データの挿入、抽出を行うものである。CODEC３２11〜３２1ｍは電話機２４11〜２４1mから入力した音声信号を64Kbpsのデジタル信号に変換し、チャンネル部３３11〜３３1mを介して第１多重分離部４０1に入力する。又、CODEC３２1〜３２ｍ第１多重分離部４０1からチャネル部を介して入力されたデジタル信号をアナログ信号に変換し、加入者回路を介して電話機に入力する。
【００２１】
３４1〜３４nはフック状態記憶送出部であり、グループ毎に設けられて、各電話機のオンフック/オフフック状態を記憶するメモリ部ＭＭと電話機のオンフック/オフフック状態を交換局２１のCOT伝送装置に送出するフック状態送出部ＦＳＳを備えている。図３はメモリＭＭにおけるフック状態の記憶例であり、加入者ナンバー（電話機番号）に対応させてフックスイッチのオン／オフ（”１”：オフフック、”０”：オンフック）を記憶している。フック状態送出部ＦＳＳは各電話機毎にフックスイッチのオン/オフ状態をフック状態情報として交換局に送出する。
【００２２】
（Ｃ）COT伝送装置
図４はCOT伝送装置の構成図であり、図１と同一部分には同一符号を付している。図１と異なる部分は、接続制御部５５を詳細に示している点である。
接続制御部５５において、５５ａは各RT伝送装置２５Ａ〜２５Ｎから送出されてくる各グループの電話機のフック状態情報を受信するデータ受信部、５５ｂはグループを構成する電話機にオフフック状態のものが存在するか解析するデータ解析部、５５ｃはメモリ部で、各グループの2Mbps時分割多重データの送出ラインＬ11〜Ｌ1n,・・，ＬN1〜ＬNnとチャンネル部５１1〜５９kの接続状況を示すマトリクスを記憶するメモリ部である。
【００２３】
図５はかかるマトリクスの説明図であり、縦方向に2Mbps時分割多重データの送出ラインＬ11〜Ｌ1n,・・，ＬN1〜ＬNnがとられ、横方向にチャンネル部５１1〜５９kがとられている。送出ラインＬ1nがチャンネル部５９ｉに接続されていればそのマトリクス交点に”１”が記憶される。すなわち、一般に送出ラインとチャンネル部間が接続されていればそのマトリクス交点に”１”が記憶され、接続されていなければマトリクス交点に”０”が記憶される。したがって、未使用のチャンネル部の縦方向の欄は全て”０”である。又、グループを構成する電話機が全てオンフック状態の場合には該グループに応じた送出ラインの横方向欄は全て”０”になる。
図４に戻って、５５ｄは各グループの電話機のオンフック／オフフック状態及びメモリ部５５ｃに記憶されているマトリクスに基づいて接続回路５４を制御して所定の2Mbps時分割多重データ送出ラインＬ11〜Ｌ1n,・・，ＬN1〜ＬNnとチャンネル部５１1〜５１k間の接続を指示する接続指示部である。
【００２４】
図６は接続瀬栄御部５５による接続処理のフロー図である。
第ｉ地域第ｊグループ（第ｉ番目のRT伝送装置より)のオフフック/オンフック情報を受信すれば(ステップ１０１）、第ｉ地域第ｊグループの電話機が全てオンフック状態かチェックする（ステップ１０２）。もし、第ｉ地域第ｊグループの電話機が全てオンフック状態であれば、マトリクスの送出ラインＬijの横方向欄を全て”０”にすると共に、接続回路５４を制御して送出ラインＬijと任意のチャンネル部間の接続を開放する（ステップ１０３）。
しかし、ステップ１０２において、全てオンフックでなくオフフックのものが存在すれば、送出ラインＬijを任意のチャンネル部に接続済みかチェックし、接続済みの場合には、処理を終了する。
【００２５】
一方、送出ラインＬijをいずれのチャンネル部にも接続してなければ、未使用のチャンネル部をマトリクスより求め、接続回路５４を制御して送出ラインＬijを該チャンネル部に接続する（ステップ１０５）。
ついで、送出ラインＬi-jと前記接続したチャンネル部とのマトリクス交点に”１”を書き込む（ステップ１０６）。以後、上記処理を繰り返す。
【００２６】
（Ｄ）COT伝送装置の別の構成
以上のCOT伝送装置では、各グループの電話機のオンフック／オフフック状態に基づいてリアルタイムに2Mbps時分割多重データ送出ラインＬ11〜Ｌ1n,・・，ＬN1〜ＬNnとチャンネル部間の接続制御をしたが、ある期間(１時間、1日、1カ月毎)のトラヒック量の時間的な推移を事前に計測しておき、該時間的に推移するトラヒック量に基づいて各時点におけるRT伝送装置２５Ａ〜２５Ｎに割り当てるチャンネル部の数を決定し、該決定されたチャンネル部数に基づいて2Mbps時分割多重データ送出ラインＬ11〜Ｌ1n,・・・，ＬN1〜ＬNnとチャンネル部５１1〜５１k間の接続を制御するように構成することができる。
【００２７】
図７はかかる場合におけるCOT伝送装置の構成図であり、図４のCOT伝送装置と同一部分には同一符号を付している。図中、６１は統計処理部であり、ある期間(1時間、1日、1カ月毎)のトラヒック量を計測し、時間的に推移するトラヒック量に基づいて各時点におけるRT伝送装置２５Ａ〜２５Ｎに割り当てるチャンネル部数を決定するもので、６１ａはトラヒック量カウンタ、６１ｂはタイマー，６１ｃはメモリ、６１ｄは設定指示部である。
トラヒック量カウンタ６１ａはデータ解析部５５ｂから出力される各グループのオフフック電話機数に基づいてRT伝送装置毎のトラヒック量（ある地域毎に設置されているRT伝送装置の加入者の電話をかける量)をある期間（例えば１日）カウントし、その結果をメモリー６１ｃにストアーする。図８は住宅地域に設置されたRT伝送装置２５Ａに接続される加入者の１日の１時間毎の平均トラヒック量を示すグラフ、図９はオフィス街に設置されたRT伝送装置２５Ｎに接続される加入者の１日の１時間毎の平均トラヒック量を示すグラフである。それぞれにおいて電話回線を利用する時間帯が異なっており、住宅地の電話使用時間帯は家族が在宅する夕方以降が多く、オフィス街は昼間に電話使用が多くなっている。
【００２８】
以上から、昼間はRT伝送装置２５Ａへ割り当てるチャンネル部数を少なくでき、一方、夜間はRT伝送装置２５Ｎへ割り当てるチャンネル部数を少なくでき、又、真夜中は両方へ割り当てるチャンネル部数を少なくできる。そこで、設定指示部６１ｄはメモリ６１ｃに記憶されているある期間(１時間、1日、1カ月毎)のトラヒック量の時間的な推移に基づいて各時点におけるRT伝送装置２５Ａ〜２５Ｎに割り当てるチャンネル部数を決定し、接続制御部５５に2Mbps時分割多重データ送出ラインＬ11〜Ｌ1n,・・・，ＬN1〜ＬNnとチャンネル部５１1〜５１k間の接続を指示する。この接続指示により、接続制御部５５は接続回路５４を制御して2Mbps時分割多重データ送出ラインとチャンネル部間を接続する。
【００２９】
例えば、RT伝送装置２５Ａに2Mbpsがｎ本必要で、RT伝送装置２５Ｎに2Mbpsが１本必要の場合には、図７実線で示すように送出ラインＬ11〜Ｌ1n,・・・，ＬN1〜ＬNnとチャンネル部５１1〜５１k間が接続され、又、実線の状態からある時間経過後にRT伝送装置２５Ａに2Mbpsが１本必要で、RT伝送装置２５Ｎに2Mbpsがｎ本必要の場合には、図７点線で示すように送出ラインＬ11〜Ｌ1n,・・・，ＬN1〜ＬNnとチャンネル部５１1〜５１k間が接続される。
以上より、COT伝送装置２３はN個のRT伝送装置２５Ａ〜２５Ｎと対向しており、かつそのチャネル部は各RT伝送装置に対し共有のハードウェアとなる。
以上では、伝送路として光伝送路を用いた場合について説明したが、本発明は光伝送路に限定されない。
以上、本発明を実施例により説明したが、本発明は請求の範囲に記載した本発明の主旨に従い種々の変形が可能であり、本発明はこれらを排除するものではない。
【００３０】
【発明の効果】
以上本発明によれば、加入者側伝送装置は、デジタル信号をグループ毎に多重し、各グループからの多重データを更に時分割多重して交換機側伝送装置に送出し、交換機側伝送装置は、(1) 各加入者側伝送装置より送られてくる高速時分割多重データをグループ毎の時分割多重データに分離すると共に、(2) 各加入者側伝送装置から送られてくるトラヒック状態情報よりオフフック状態の加入者端末が存在するグループを識別し、(3) 該グループに応じた時分割多重データ送出ラインを未使用のチャンネル部に接続し、(4) 該チャンネル部を介して時分割多重データを交換機に入力する。これにより、交換局内に設けるチャンネル部の数を減少でき通信システムや交換局の小型化、低コスト化が可能になる。
【００３１】
又、本発明によれば、交換機側伝送装置は、予め各加入者側伝送装置のトラヒック量の時間的な推移を統計的に求めておき、該トラヒック推移に基づいて各時点における加入者側伝送装置に割り当てるチャンネル部数を決定し、該決定したチャンネル部数に基づいて各加入者側伝送装置から送られてくるグループ毎の時分割多重データの送出ラインとチャネル部間の接続制御を行う。このようにしても交換局内に設けるチャンネル部の数を減少でき通信システムや交換局の小型化、低コスト化が可能になる。
【図面の簡単な説明】
【図１】本発明の加入者系光伝送システムの構成図である。
【図２】  RT伝送装置の構成図である。
【図３】オフフック/オンフック状態記憶例である。
【図４】  COT伝送装置の構成図である。
【図５】  2Mbpsの時分割多重データ送出ラインとチャンネル部の接続状態を示すマトリクス説明図である。
【図６】本発明の接続処理フローである。
【図７】  COT伝送装置の別の構成図である。
【図８】  RT伝送装置２５Ａの時間毎の平均トラヒック量を示すグラフである。
【図９】  RT伝送装置２５Ｎの時間毎の平均トラヒック量を示すグラフである。
【図１０】従来の加入者光伝送システムの構成図である。
【図１１】従来技術のRT伝送装置の構成図である。
【図１２】従来の交換局の構成図である。
【符号の説明】
２１・・交換局
２２・・交換機
２３・・COT伝送装置
２４Ａ〜２４Ｎ・・一般家庭用電話機あるいは公衆電話機
２５Ａ〜２５Ｎ・・RT伝送装置
２６Ａ〜２６Ｎ・・光伝送路
３０1〜３０n・・加入者回路群
４０1〜４０n・・第１の多重分離部
４１・・第２の多重分離部
４２・・光伝送装置
５１1〜５１k・・チャンネル部
５２A〜５２N・・光伝送装置
５３A〜５３N・・多重分離部
５４・・接続回路
５５・・接続制御部
【図１】
0003673074.tif 000002
【図２】
0003673074.tif 000003
【図３】
0003673074.tif 000004
【図４】
0003673074.tif 000005
【図５】
0003673074.tif 000006
【図６】
0003673074.tif 000007
【図７】
0003673074.tif 000008
【図８】
0003673074.tif 000009
【図９】
0003673074.tif 000010
【図１０】
0003673074.tif 000011
【図１１】
0003673074.tif 000012
【図１２】
0003673074.tif 000013